(57)【要約】【課題】複数の外壁面材が上下に並べられて一体化された形態で建物の躯体に取り付けられる外壁パネルによって効率的な建物施工を行うことを可能にする外壁パネルの施工時構造体および外壁の施工方法を提供する。【解決手段】外壁パネルの施工時構造体５は、複数の外壁面材５１が上下に並べられて一体化された形態で建物の躯体に取り付けられる。そして、この施工時構造体５は、上記外壁面材５１および当該外壁面材５１が固定される第１下地材５２が存在しない箇所を有しており、上記第１下地材５２が存在しない箇所を跨いで上下の外壁面材５１における第１下地材５２を縦に連結する第２下地材５３が着脱可能に取り付けられている。【選択図】図５
2019112905.tif 000002
【特許請求の範囲】
【請求項１】
複数の外壁面材が上下に並べられて一体化された形態で建物の躯体に取り付けられる外壁パネルの施工時構造体であって、上記外壁面材および当該外壁面材が固定される第１下地材が存在しない箇所を有しており、上記第１下地材が存在しない箇所を跨いで上下の外壁面材における第１下地材を縦に連結する第２下地材が着脱可能に取り付けられていることを特徴とする外壁パネルの施工時構造体。
【請求項２】
請求項１に記載の外壁パネルの施工時構造体において、少なくとも最上位置の外壁面材が装着されていることを特徴とする外壁パネルの施工時構造体。
【請求項３】
請求項１または請求項２に記載の外壁パネルの施工時構造体において、上記第２下地材が上記第１下地材の横位置に取り付けられていることを特徴とする外壁パネルの施工時構造体。
【請求項４】
請求項１〜請求項３のいずれか１項に記載の外壁パネルの施工時構造体において、上記第１下地材および上記第２下地材が形鋼材からなり、互いの閉鎖面側を接合させていることを特徴とする外壁パネルの施工時構造体。
【請求項５】
請求項１〜請求項４のいずれか１項に記載の外壁パネルの施工時構造体において、上記第２下地材は、当該第２下地材のみで上記外壁面材を支持する耐力を備えていることを特徴とする外壁パネルの施工時構造体。
【請求項６】
請求項１〜請求項５のいずれか１項に記載の外壁パネルの施工時構造体において、上記第２下地材は上記躯体側に設けられる面外方向の荷重を受ける２以上の梁に渡る縦長さを有することを特徴とする外壁パネルの施工時構造体。
【請求項７】
請求項１〜請求項６のいずれか１項に記載の外壁パネルの施工時構造体を上記第１下地材によって建物の躯体に取り付ける工程と、上記第２下地材を上記第１下地材から取り外し、下地で遮られない施工時利用が可能な開口を形成する工程と、を含むことを特徴とする外壁の施工方法。
【請求項８】
請求項７に記載の外壁の施工方法において、上記外壁パネルの施工時構造体を、屋根が取り付けられている建物の躯体に取り付けることを特徴とする外壁の施工方法。
【請求項９】
請求項７または請求項８に記載の外壁の施工方法において、上記開口を塞ぐように屋内側から第２下地材付きの外壁面材を取り付け、縦に並ぶ複数の第１下地材と第２下地材とを連結することを特徴とする外壁の施工方法。
【発明の詳細な説明】
【技術分野】
【０００１】
この発明は、複数の外壁面材が上下に並べられて一体化された形態で建物の躯体に取り付けられる外壁パネルの施工時構造体および、このような外壁パネルの施工時構造体を用いた外壁の施工方法に関する。
【背景技術】
【０００２】
特許文献１には、大判化外壁パネルおよびこの大判化外壁パネルを建物の躯体に取り付ける構造が開示されている。大判化外壁パネルは、パネルフレームと、このパネルフレームに取付けられた上下に並ぶ複数枚の、断熱材を含む横長形状の外壁面材とを備える。また、上記パネルフレームは、左右の縦フレーム材および上下端の横フレーム材が矩形に組まれた外周フレーム部と、この外周フレーム部に互いに横幅方向に間隔を開けて配置されて上下端が上下の横フレーム材に接合された複数の縦胴縁とからなる。
【０００３】
また、特許文献２には、足場を組むことなく，建物開口部毎に設置することによって建物開口部の工事をなし得るようにした養生装置が開示されている。
【先行技術文献】
【特許文献】
【０００４】
【特許文献１】特開２０１６−１１３８３９号公報
【特許文献２】特開２００６−１５２６９５号公報
【発明の概要】
【発明が解決しようとする課題】
【０００５】
しかしながら、上記の特許文献は、複数の外壁面材が上下に並べられて一体化された形態で建物の躯体に取り付けられる外壁パネルによって効率的な建物施工を行うことを可能にする施工時構造体を開示するものではない。
【０００６】
この発明は、上記の事情に鑑み、複数の外壁面材が上下に並べられて一体化された形態で建物の躯体に取り付けられる外壁パネルによって効率的な建物施工を行うことを可能にする外壁パネルの施工時構造体および外壁の施工方法を提供することを課題とする。
【課題を解決するための手段】
【０００７】
この発明の外壁パネルの施工時構造体は、上記の課題を解決するために、複数の外壁面材が上下に並べられて一体化された形態で建物の躯体に取り付けられる外壁パネルの施工時構造体であって、上記外壁面材および当該外壁面材が固定される第１下地材が存在しない箇所を有しており、上記第１下地材が存在しない箇所を跨いで上下の外壁面材における第１下地材を縦に連結する第２下地材が着脱可能に取り付けられていることを特徴とする。
【０００８】
上記の構成であれば、複数の外壁面材が上下に並べられて一体化された外壁パネルによる外壁の施工を可能としつつ、上記第２下地材を上記第１下地材から取り外すことにより、上記第１下地材が存在しない箇所において建物施工時に利用できる一時開口を形成することができる。そして、この一時開口を利用して、例えば、屋内側から持ち出した部材で支持する足場を作製することができるので、効率的な建物施工を行うことが可能になる。
【０００９】
上記外壁パネルの施工時構造体において、少なくとも最上位置の外壁面材が装着されていてもよい。これによれば、例えば、上記足場を用いた建物施工において、上記最上位置の外壁面材に雨樋等を取り付ける作業が行えるようになる。
【００１０】
上記外壁パネルの施工時構造体において、上記第２下地材が上記第１下地材の横位置に取り付けられていてもよい。これによれば、上記第１下地材の上記外壁面材が取り付けられる面と反対の面を建物の躯体に対面させた態様で外壁パネルの施工時構造体を建物の躯体に取り付けることができる。また、架台上で第１下地材に外壁面材を固定して施工時構造体を組むときでも、上記第１下地材に上記第２下地材を接続することが容易になる。
【００１１】
上記外壁パネルの施工時構造体において、上記第１下地材および上記第２下地材が形鋼材からなり、互いの閉鎖面側を接合させていてもよい。これによれば、上記第２下地材と上記第１下地材とを強固に接合することができる。
【００１２】
上記外壁パネルの施工時構造体において、上記第２下地材は、当該第２下地材のみで上記外壁面材を支持する耐力を備えていてもよい。これによれば、躯体に取り付けられた完成状態の外壁パネルにおいて、上下に並ぶ第１下地材同士を単に連結した構造では十分な耐力を備えることができない場合でも、上記第２下地材によって必要な耐力を得ることができる。
【００１３】
上記外壁パネルの施工時構造体において、上記第２下地材は上記躯体側に設けられる面外方向の荷重を受ける２以上の梁に渡る縦長さを有していてもよい。これによれば、建物に取り付けられた完成状態の外壁パネルが風荷重を受けた場合において、当該外壁パネルの外壁面材から第１下地材を介して第２下地材が風荷重を受け止め、この風荷重を上記面外方向の荷重を受ける２本以上の梁に伝達することができるので、建物の風荷重対策が的確に行われるようになる。
【００１４】
また、この発明の外壁の施工方法は、上記外壁パネルの施工時構造体を上記第１下地材によって建物の躯体に取り付ける工程と、上記第２下地材を上記第１下地材から取り外し、下地で遮られない施工時利用が可能な開口を形成する工程と、を含むことを特徴とする。かかる方法であれば、例えば、上記開口を介して外部に足場を作製できるようになる。
【００１５】
上記外壁の施工方法において、上記外壁パネルの施工時構造体を、屋根が取り付けられている建物の躯体に取り付けてもよい。これによれば、上記屋根が取り付けられている状態で最上位置の外壁面材に雨樋等を取り付けることができるため、この雨樋等の取り付けが正確に行えることになる。
【００１６】
上記外壁の施工方法において、上記開口を塞ぐように屋内側から第２下地材付きの外壁面材を取り付け、縦に並ぶ複数の第１下地材と第２下地材とを連結するようにしてもよい。かかる方法であれば、上記開口を利用した後に、外壁パネルの施工時構造体を屋内側からの作業で外壁パネルとして完成させることができる。
【発明の効果】
【００１７】
本発明であれば、複数の外壁面材が上下に並べられて一体化された形態で建物の躯体に取り付けられる外壁パネルの施工時構造体に、下地の無い一時開口を形成することができ、この一時開口を用いて効率的な建物施工が行えるという効果を奏する。
【図面の簡単な説明】
【００１８】
【図１】この発明の実施形態にかかる外壁パネルの施工時構造体を示した背面図である。
【図２】同図（Ａ）は図１の外壁パネルにおける外壁面材の上部および下部の断面を示した説明図であり、同図（Ｂ）は図１の上下に並ぶ外壁面材の嵌め込み箇所を示した説明図である。
【図３】図１の外壁パネルの施工時構造体を地上で組み立てる地組架台の一例を示した正面図である
【図４】図１の外壁パネルの施工時構造体を建物の躯体に取り付けた状態を示した説明図である。
【図５】図１の外壁パネルの施工時構造体を建物の躯体に取り付けて一時開口を形成する工程を示した説明図である。
【図６】図１の外壁パネルの施工時構造体を建物の躯体に取り付けるために天秤で吊り上げている状態を示した説明図である。
【発明を実施するための形態】
【００１９】
以下、この発明の実施の形態を添付図面に基づいて説明する。
図１に示すように、この実施形態の外壁パネルの施工時構造体５は、複数の横長の外壁面材５１を上下に並べて第１下地材（縦胴縁）５２で相互に連結されて一体化された形態で建物の躯体に取り付けられる構造を有する。図１に示す例では、６本の第１下地材５２を備えている。上記第１下地材５２は、リップ溝形鋼等の開放断面鋼材或いは角形鋼管などの閉鎖断面鋼材からなる。
【００２０】
上記外壁面材５１は、例えば、図２（Ａ）および図２（Ｂ）に示すように、不燃断熱材５１ａを鋼板５１ｂ、５１ｃで挟み込んだ金属サンドイッチパネルである。２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００２１】
例えば、図３に示す地組架台１を用いることにより、上記複数の外壁面材５１を上下に並べて第１下地材５２で連結した外壁パネルを、当該外壁パネルが取り付けられる建物の躯体の外壁取付箇所とは異なる場所で組み立てることができる。地組架台１は、例えば、複数の柱状部材１１と梁状部材１２とを縦横に組んでなるものであるが、その構造については図３に示すものに限定されない。
【００２２】
作業者は、上記第１下地材５２を地組架台１にセットした後に、外壁面材５１をセットし、このセットした上記外壁面材５１の上端部側にビス等をねじ込み、上記外壁面材５１を、先にセットした上記第１下地材５２に固定する。この作業を繰り返すことで外壁パネルの施工時構造体５が作製される。
【００２３】
上記外壁パネルの施工時構造体５では、上から２段目の外壁面材５１が存在すべき箇所において第１下地材５２が分断されて上下に離間して位置しており、最上位置の外壁面材５１は上側の第１下地材５２に装着され、上から２段目となる外壁面材５１および第１下地材５２は未装着とされ、上から３段目以下では全ての外壁面材５１が下側の第１下地材５２に装着されている。すなわち、この例の外壁パネルの施工時構造体５は、上から２段目の１段のみ外壁面材５１および第１下地材５２が存在しない構造を有している。
【００２４】
そして、上記外壁パネルの施工時構造体５は、図１に示したように、例えば、最上位置の外壁面材５１から６段目となる外壁面材５１に至る第２下地材５３を備えている。上記第２下地材５３は、上記第１下地材５２が不存在の箇所を跨いで、上下に位置する第１下地材５２と接続される。上記第２下地材５３は、上記地組架台１において上記第１下地材５２に取り付けることができる。上記第２下地材５３は、上記第１下地材５２に対して着脱自在に取り付けられており、施工時構造体５が建物の躯体７に取り付けられた後に一旦外せるようになっている。
【００２５】
上記第１下地材５２は、例えば、２つの対向面部およびこれら対向面部を繋ぐ閉鎖面部を有する溝形鋼からなり、上記対向面部の一方の側において外壁面材５１がビス固定されている。
【００２６】
例えば、図４に示すように、上記外壁パネルの施工時構造体５が取り付けられる建物の躯体７は、屋根７Ａが支持される屋根梁７１、耐風梁７２、床梁７３等を備えている。また、上記屋根梁７１には、繋ぎ材７１ａが所定のピッチで固定されており、また、繋ぎ材７１ａを貫通するように屋根側耐風梁７２Ａが設けられている。上記外壁パネルの施工時構造体５の建物の躯体７への取り付けにおいては、例えば、上記第１下地材５２の上記対向面部の他方の側が、上記建物の躯体７における屋根側耐風梁７２Ａ、耐風梁７２、床梁７３等に、Ｌアングル等の金具、固定ボルト、高さ調整ボルト等を用いて固定される。
【００２７】
また、例えば、上記第２下地材５３も溝形鋼とされ、その閉鎖面部を上記第１下地材５２の閉鎖面部に対面させることで、上記第１下地材５２の横位置に取り付けられる。上記閉鎖面部には、例えば、所定ピッチでボルト挿通孔が形成されており、このボルト挿通孔に縫い通されたボルトとナットとによって、上記第２下地材５３が上記第１下地材５２に着脱自在に取り付けられる。上記第１下地材５２および上記第２下地材５３が閉鎖断面形状を有する場合でも、同様のボルトによる取付構造とすることができる。なお、上記の着脱自在とする構造は、ボルトとナットを用いる構造に限らない。
【００２８】
上記第２下地材５３は、当該第２下地材５３のみで上記外壁面材５１を支持する耐力を備えていてもよい。なお、上記外壁パネルの施工時構造体５においては、上記第２下地材５３は、縦に６本位置している第１下地材５２の全てに取り付けられている必要はなく、例えば、左右サイドの２本の第１下地材５２に取り付けられていてもよい。また、図１に示した例では、上記第２下地材５３は、左右サイドの２本の第１下地材５２に対しては、これら第１下地材５２の内側に取り付けられているが、このような態様に限られない。
【００２９】
また、上記第２下地材５３は、上記建物の躯体７側に設けられる面外方向の荷重を受ける２以上の梁に渡る縦長さを有する。例えば、上記第２下地材５３は、図４における屋根側面耐風梁７２Ａと耐風梁７２の２本の梁間の幅を超える縦長さを有する。
【００３０】
上記の外壁パネルの施工時構造体５であれば、複数の外壁面材５１が上下に並べられて一体化された外壁パネルによる外壁の施工を可能としつつ、上記第２下地材５３を上記第１下地材５２から取り外すことにより、上記第１下地材５２が存在しない箇所において当該外壁パネルに建物施工時に利用できる一時開口を形成することができる。そして、この一時開口を利用して、例えば、屋内側から持ち出した部材で支持される足場を作製することができるので、効率的な建物施工を行うことが可能になる。
【００３１】
また、上記外壁パネルの施工時構造体５において、少なくとも最上位置の外壁面材５１が装着されていると、例えば、上記足場を用いた施工において、上記最上位置の外壁面材５１に雨樋等を取り付ける作業が行えるようになる。
【００３２】
また、上記外壁パネルの施工時構造体５において、上記第２下地材５３が上記第１下地材５２の横位置に取り付けられていると、上記第１下地材５２の上記外壁面材５１が取り付けられる面と反対の面を建物の躯体７に対面させた態様で外壁パネルの施工時構造体５を建物の躯体７に取り付けることができる。また、地組架台１上で第１下地材５２に外壁面材５１を固定して施工時構造体５を組むときでも、上記第１下地材５２に上記第２下地材５３を接続することが容易になる。なお、上記第１下地材５２と上記第２下地材５３とを予め組んだものを外壁面材５１に取り付けるようにしてもよい。
【００３３】
また、上記外壁パネルの施工時構造体５において、上記第１下地材５２および上記第２下地材５３が形鋼材からなり、互いの閉鎖面側を接合させていると、上記第２下地材５３と上記第１下地材５２とを強固に接合することができる。
【００３４】
また、上記外壁パネルの施工時構造体５において、上記第２下地材５３が、当該第２下地材５３のみで上記外壁面材５１を支持する耐力を備えていると、躯体７に取り付けられた完成状態の外壁パネルにおいて、上下に並ぶ第１下地材５２同士を単に連結した構造では十分な耐力を備えることができない場合でも、上記第２下地材５３によって必要な耐力を得ることができる。もちろん、上記第２下地材５３が、当該第２下地材５３のみで上記外壁面材５１を支持する耐力を備えていないとしても、上記第１下地材５２の耐力との合計で上記外壁面材５１を支持する耐力を備えるようにしてもよいものである。
【００３５】
また、上記外壁パネルの施工時構造体５において、上記第２下地材５３は上記躯体７側に設けられる面外方向の荷重を受ける２以上の梁（例えば、屋根側風梁７２Ａと耐風梁７２の２本）に渡る縦長さを有していると、建物に取り付けられた完成状態の外壁パネルが風荷重を受けた場合において、当該外壁パネルの外壁面材５１から第１下地材５２を介して第２下地材５３が風荷重を受け止め、この風荷重を上記面外方向の荷重を受ける２本以上の梁に伝達することができるので、建物の風荷重対策が的確に行われるようになる。
【００３６】
次に、外壁パネルの施工時構造体５を用いた外壁の施工方法について説明していく。図５に示すように、上記外壁パネルの施工時構造体５を上記第１下地材５２によって建物の躯体７に取り付けていく。より具体的には、上記外壁パネルの施工時構造体５における上側の第１下地材５２を屋根側風梁７２Ａに固定し、下側の第１下地材５２を耐風梁７２に固定する。なお、外壁パネルの施工時構造体５の下方には、全ての外壁面材５１が取り付けられている通常の外壁パネル５Ａが建物の躯体７に取り付けられており、この外壁パネル５Ａの下地材の上端に、上記外壁パネルの施工時構造体５の第１下地材５２の下端が、例えばジョイントプレートによって固定される。
【００３７】
上記のように外壁面材５１における第１下地材５２を建物の躯体７に固定した後、上記第２下地材５３を上記第１下地材５２から取り外す。上記第１下地材５２は上記のように躯体７に固定されているので、上記第２下地材５３を上記第１下地材５２から取り外しても、上記外壁面材５１が躯体７から外れることはない。そして、このように上記第２下地材５３を上記第１下地材５２から取り外すことで、外壁面材５１の存在しない箇所において上記第２下地材５３も存在しない一時開口、すなわち、下地で遮られない施工時利用が可能な一時開口を形成する。そして、上記一時開口を介して、屋内側から屋外側に突出する持ち出す部材を設け、上記部材上に足場を設けることができる。
【００３８】
上記の外壁の施工方法において、上記外壁パネルの施工時構造体５を、屋根７Ａが取り付けられている建物の躯体７に取り付けるようにしてもよい。例えば、図６に示すように、一方の側に固定部８１を備え、他方の側にカウンターウェイト８２を備えた天秤８を用いる。上記固定部８１は、外壁パネルの施工時構造体５の第１下地材５２、第２下地材５３、外壁面材５１、或いは、これらに仮固定された部材等に固定される。このように、上記外壁パネルの施工時構造体５を、屋根７Ａが取り付けられている建物の躯体７に取り付けると、上記屋根７Ａが取り付けられている状態で最上位置の外壁面材５１に雨樋等を取り付けることができるため、この雨樋等の取り付けが的確に行えることになる。
【００３９】
また、この実施形態の外壁施工方法においては、上記一時開口を塞ぐように屋内側から第１下地材５２付きの外壁面材５１を後付けし、縦に並ぶ複数の第１下地材５２を第２下地材５３によって連結する。かかる方法であれば、上記一時開口を利用した後に、外壁パネルの施工時構造体５を屋内側からの作業で外壁パネルとして完成させることができる。なお、例えば、最上位置の外壁面材５１が躯体７に対して長孔等により多少上下動可能に仮固定できるようにしておくことで、後付けされる上記外壁面材５１の取り付けが容易になる。また、ボルト挿通孔が形成されたジョイントプレートを、第１下地材５２と第２下地材５３の連結箇所に介在させて、これら３枚となる板部分をボルト締結してもよい。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４１】
１      ：地組架台
５      ：施工時構造体
５Ａ    ：外壁パネル
７      ：躯体
７Ａ    ：屋根
８      ：天秤
１１    ：柱状部材
１２    ：梁状部材
５１    ：外壁面材
５１ａ  ：不燃断熱材
５１ｂ  ：鋼板
５１ｃ  ：鋼板
５１ｄ  ：凹部
５１ｅ  ：凸部
５２    ：第１下地材
５３    ：第２下地材
７１    ：屋根梁
７２    ：耐風梁
７２Ａ  ：屋根側耐風梁
７３    ：床梁
８１    ：固定部
８２    ：カウンターウェイト
８３    ：吊元
【図１】
2019112905.tif 000003
【図２】
2019112905.tif 000004
【図３】
2019112905.tif 000005
【図４】
2019112905.tif 000006
【図５】
2019112905.tif 000007
【図６】
2019112905.tif 000008